(57)【要約】【課題】解決しようとする問題点は、番組の視聴率調査を行なう場合に受信機以外に視聴率調査専用の装置が必要である点、またその装置の設置数は限りがあり実際の視聴率とは違う可能性がある点である。【解決手段】本発明は、放送局側から番組を一意に識別するためのコンテンツ識別子を付与して送出される場合に、受信機でそのコンテンツ識別子を解釈し、現在視聴中番組のコンテンツＩＤをインターネットや電話回線等を利用してデータサーバーに送信し、送信されたコンテンツＩＤに基づいて視聴率計算を行なうことをもっとも主要な特徴としている。【選択図】図１
2006254015.tif 000002
【特許請求の範囲】
【請求項１】
一意に識別された番組を解析する手段と、解析した番組を一定時間継続して視聴していた番組と判断する手段と、一定時間継続して視聴していた番組の識別情報を通知する手段と、通知された識別情報を管理する手段と、管理している識別情報を提供する手段を備えたデータ収集装置。
【請求項２】
前記一意に識別された番組を解析する手段は、コンテンツ識別子を用いて解析する事を特徴とする請求項１に記載のデータ収集装置。
【請求項３】
前記一意に識別された番組を解析する手段は、ＩＳＯのＩＳＡＮ、Ｖ−ＩＳＡＮを用いて解析する事を特徴とする請求項１に記載のデータ収集装置。
【請求項４】
前記一意に識別された番組を解析する手段は、その他規格団体が定める識別子を用いて解析する事を特徴とする請求項１に記載のデータ収集装置。
【請求項５】
前記一意に識別された番組を解析する手段は、請求項２から請求項４の何れかその組み合わせ、又は全てを備えた請求項１に記載のデータ収集装置。
【請求項６】
前記解析した番組を一定時間継続して視聴していた番組と判断する手段は、データ収集装置で時間指定できる、請求項１から５の何れかに記載のデータ収集装置。
【請求項７】
前記一定時間継続して視聴していた番組の識別情報を通知する手段は、電話回線やインターネット網等を使用して通知できる、請求項１から６の何れかに記載のデータ収集装置。
【請求項８】
前記通知された識別情報を管理する手段は、電話回線やインターネット網等と通信できるサーバー上で管理する、請求項１から７の何れかに記載のデータ収集装置。
【請求項９】
前記管理している識別情報を提供する手段は、電話回線やインターネット網、ＨＤＤやＤＶＤ−ＲＡＭの記憶媒体等を用いて提供できる、請求項１から８の何れかに記載のデータ収集装置。
【請求項１０】
一意に識別された番組を解析するステップと、解析した番組を一定時間継続して視聴していた番組と判断するステップと、一定時間継続して視聴していた番組の識別情報を通知するステップと、通知された識別情報を管理するステップと、管理している識別情報を提供するステップを備えることを特徴とするデータ収集方法。
【請求項１１】
一意に識別された番組を解析するステップと、解析した番組を一定時間継続して視聴していた番組と判断するステップと、一定時間継続して視聴していた番組の識別情報を通知するステップと、通知された識別情報を管理するステップと、管理している識別情報を提供するステップ実行させるためのプログラム。
【請求項１２】
請求項１１に記載したプログラムを記憶した記憶媒体。
【発明の詳細な説明】
【技術分野】
【０００１】
本発明は、現在視聴中番組の識別情報データの収集を行なう装置に関する。
【背景技術】
【０００２】
従来、番組の視聴率調査を行なう場合、受信機以外に視聴率調査専用の装置が必要であった。また、その装置の設置数は限りがあり、実際の視聴率とは違う可能性があった（例えば、特許文献１、特許文献２、非特許文献１参照）。
【特許文献１】特開昭５４−８０６１７号公報
【特許文献２】特開平７−２３０１２号公報
【非特許文献１】ＡＴＳＣ規格  Ａ／５７Ａ
【発明の開示】
【発明が解決しようとする課題】
【０００３】
解決しようとする問題点は、番組の視聴率調査を行なう場合に受信機以外に視聴率調査専用の装置が必要である点、またその装置の設置数は限りがあり実際の視聴率とは違う可能性がある点である。
【課題を解決するための手段】
【０００４】
本発明は、放送局側から番組を一意に識別するためのコンテンツ識別子を付与して送出される場合に、受信機でそのコンテンツ識別子を解釈し、現在視聴中番組のコンテンツＩＤをインターネットや電話回線等を利用してデータサーバーに送信し、送信されたコンテンツＩＤに基づいて視聴率計算を行なうことを行なうことをもっとも主要な特徴とする。
【発明の効果】
【０００５】
本発明のデータ収集装置は、放送局から送信される番組のコンテンツ識別子を利用し、コンテンツ識別子に記述されたコンテンツＩＤをデータサーバーに自動で送信し、送信されたコンテンツＩＤに基づいて視聴率計算を行なうため、ユーザや視聴率調査会社が視聴率調査専用装置の設置が不必要になること、視聴率調査専用装置は設置台数が限られておりこの装置を用いることでより信頼性の高い視聴率調査が可能となる。
【発明を実施するための最良の形態】
【０００６】
次に添付図面を参照して、本発明によるデータ収集装置の実施の形態を詳細に説明する。
【０００７】
（実施の形態１）
図１は、本発明のデータ収集装置の一実施形態を示す。本実施形態のデータ収集装置は、放送局１０、送信される番組１１、受信機１２、回線１３、データサーバー１４、管理情報１５、視聴率調査会社１６より構成される。
【０００８】
放送局１０から送信される番組１１に番組を一意に識別できる識別子が付与されて送信される場合に、受信機１２は一定周期でその識別子の解析を行ない、ある一定時間以上解析した識別子に変更がないことが検出したら同じ番組の視聴を継続していると判断して回線１３を通してデータサーバー１４に解析した内容を通知する。データサーバー１４では、受信機１２から通知されたデータの管理を行ない、必要に応じて管理情報１５を視聴率調査会社１６に提供する。
【０００９】
なお、管理情報１５を視聴率調査会社１６に提供する方法は、記憶媒体を使用しての提供、インターネット等の公衆網を使用しての提供、視聴率調査会社１６自らがデータサーバー１４を所有する方法等でもよい。
【００１０】
以下、一実施形態の詳細説明をするために図１から図５、及び北米のＡＴＳＣ規格を用いて説明する。
【００１１】
図２は、送信される番組１１の構造図を示す。図２を参照して、本実施例における送信される番組１１の構造を説明する。放送局１０は、送信される番組１１の各番組に映像信号、音声信号と共にＥＩＴ２０に示すコンテンツ識別子２１を付与して放送を送信する。ＥＩＴ２０内にはコンテンツ識別子２１を判断するコンテンツ識別タグ２３が配置され、コンテンツＩＤ構造体２２内に、システムＩＤ２４、コンテンツＩＤ２５が配置される。コンテンツ識別タグ２３は、ＥＩＴ２０にコンテンツ識別子２１が存在する事を示す。システムＩＤ２４は、コンテンツＩＤがどの規格によって付与されたものかを示し、コンテンツＩＤ２５が各番組に一意に付与される番号を示す。
【００１２】
なお、コンテンツ識別子２１、コンテンツＩＤ構造体２２、コンテンツ識別タグ、システムＩＤ２４、コンテンツＩＤ２５は北米ＡＴＳＣ規格のものであるが、各番組を一意に識別できる他の規格でも良い。
【００１３】
図３は、受信機１２の一例を示した構成図を示す。図３を参照して、本実施例における受信機１２の動作を説明する。
【００１４】
放送局１０からコンテンツ識別子２１を付与して送信される番組１１を受信した時、アンテナ３０から受信ストリームが受信機１２に入力される。受信ストリームには映像信号、音声信号、ＥＩＴ２０等の番組情報データが混在して入力されるため、ストリーム解析部３１にて映像信号、音声信号、番組情報データの解析を行ない、それぞれ映像復号化部３５、音声復号化部３４、データ解析部３２に受信ストリームを分配する。データ解析部３２では、ＥＩＴ２０からコンテンツ識別子２１が存在するかどうかの解析を行ない、存在する場合にはコンテンツＩＤ構造体２２内のシステムＩＤ２４、コンテンツＩＤ２５の抽出処理を行ない記憶し、必要に応じて解析結果をデータ送信部３３に通知する。
【００１５】
また、データ解析部３２ではコンテンツ識別子２１以外の番組情報データの解析も行ない、ユーザに提示する必要がある情報に関しては表示合成部３６に通知し、映像復号化部３５で処理された映像ストリームと合わせて映像出力部３８から出力する。
【００１６】
図４はデータ解析部３２のフローチャートを示す。図４を参照して、本実施例におけるデータ解析部３２の動作を説明する。
【００１７】
ストリーム解析部３１において解析された受信ストリームの内、ＥＩＴ２０等を含む番組情報データがデータ解析部３２に分配する処理を周期的に行なう。データ解析部３２ではＥＩＴ２０の解析を行ない、コンテンツ識別子２１、コンテンツ識別タグ２３が存在するかどうかの確認し、存在しなければ処理を終了して次にストリーム解析部３１からデータ解析部３２に分配される周期まで待つ。存在した場合には、コンテンツＩＤ構造体２２内のシステムＩＤ２４、コンテンツＩＤ２５の抽出処理を行ない記憶する。今回記憶した内容と前回記憶した内容の比較を行ない、前回記憶した内容と異なる場合は前回記憶した内容を破棄し、次の周期まで待つ。記憶した内容が同一である場合は前回の視聴していた番組を継続して視聴していると考えられ、継続カウンタを１増加させる。
【００１８】
上記の一連の処理は受信機１２が動作している時は周期的に、たとえば１秒毎に処理されるものであり、継続カウンタが１００を示す場合には１００秒間同じ番組を視聴していたと考えられる。
【００１９】
このように一連の処理の周期時間と継続カウンタのそれぞれの値を決定すれば、番組毎に一定時間以上継続して視聴していたかを判断する事が可能となり、視聴時間が確定したら現在記憶しているシステムＩＤ２４やコンテンツＩＤ２５をデータ送信部３３に通知し、データ送信部３３はモデムやイーサネット（登録商標）等を経由して回線１３からデータサーバー１４に情報を送信する事が可能となる。
【００２０】
図５を参照して、本発明のデータ収集装置の一実施例を示す。図５は、データサーバー１４で管理される管理情報１５の一例を示す。
【００２１】
ある放送局１０から送信される番組１１を○○○紀行とした場合、ＥＩＴ２０内にコンテンツ識別子２１、コンテンツ識別タグ２３を配置し、システムＩＤ２４にＩＳＡＮ、コンテンツＩＤ２５に１１１１−２２２２−３３３３−４４４４を配置して送出する。この送信ストリームを受信機１２が受信した場合、受信機１２はコンテンツ識別子が付与されているかどうか受信ストリームの解析を行なう。
【００２２】
受信機１２では、ストリーム解析部３１からデータ解析部３２が１秒周期で動作し、継続カウンタが１８０、すなわち１８０秒以上なら継続して視聴していたと判断する設定になっていた場合、受信機ＩＤがＡＡＡＡの受信機１２は３分間、受信機ＩＤがＤＤＤＤの受信機１２は５分間、○○○紀行を視聴していたことになる。
【００２３】
受信機ＩＤ：ＡＡＡＡの受信機１２は、○○○紀行を３分間視聴後、×××ドラマを視聴し始めたため、データ解析部３２で継続カウンタが１８０の時にシステムＩＤ２４がＶ−ＩＳＡＮ、コンテンツＩＤ２５が１１１１−２２２２−３３３３−４４４４−５５５５−６６６６に変更になったことを検出し、データ解析部３２からデータ送信部３３にシステムＩＤ２４とコンテンツＩＤ２５を通知する。
【００２４】
データ送信部３３では、データ解析部３２から通知された内容以外に受信機ＩＤや視聴時間等の情報を付与してモデムやイーサネット（登録商標）等を経由して回線１３からデータサーバー１４に情報を送信しても良い。データサーバー１４では、受信機１２から送信された情報を逐一管理情報１５の様な形式で保存していく。
【００２５】
視聴率調査会社１６はデータサーバー１４で保存されている管理情報１５を記憶媒体やインターネット等の公衆網を利用しての何れの方法で入手して使用することができ、受信機台数と管理情報１５から視聴率を計算する事が可能となる。
【００２６】
以上より、番組の視聴率調査を行なう上で視聴率調査専用装置を使用せずにデータ収集を行なうことが出来る。
【００２７】
尚、上述の実施形態は本発明の好適な実施の一例であるが、これに限定されるものではなく、本発明の要旨を逸脱しない範囲において種々変形実施可能である。
【産業上の利用可能性】
【００２８】
本発明のコンテンツ識別子を利用したデータ収集装置は、番組の視聴率調査を行なう上で視聴率調査専用装置を使用せずにデータ収集を行なうのに有用である。
【図面の簡単な説明】
【００２９】
【図１】本発明のデータ収集装置の一実施形態を示すシステム構成図
【図２】送信される番組１１の構造図
【図３】受信機１２の一例を示した構成図
【図４】データ解析部３２のデータ解析を示すフローチャート
【図５】データサーバー１４で管理される管理情報１５の一例を示した図
【符号の説明】
【００３０】
１０    放送局
１１    送信される番組
１２    受信機
１３    回線
１４    データサーバー
１５    管理情報
１６    視聴率調査会社
２０    ＥＩＴ
２１    コンテンツ識別子
２２    コンテンツＩＤ構造体
２３    コンテンツ識別タグ
２４    システムＩＤ
２５    コンテンツＩＤ
３０    アンテナ
３１    ストリーム解析部
３２    データ解析部
３３    データ送信部
３４    音声復号化部
３５    映像復号化部
３６    表示合成部
３７    音声出力部
３８    映像出力部
【図１】
2006254015.tif 000003
【図２】
2006254015.tif 000004
【図３】
2006254015.tif 000005
【図４】
2006254015.tif 000006
【図５】
2006254015.tif 000007